(57)【要約】【課題】  海苔支柱の注水口を挟み、海水を高圧でパイプ状の海苔支柱内に注入し海苔支柱を立て込むための、海苔支柱高圧海水注入装置を提供する。【解決手段】  海苔支柱の海水注水口に、海苔支柱高圧海水注入装置の主海苔支柱挟み板の海水注入口とスライド挟み板の間に海苔支柱の注水口を合わせて挟み、バルブを開けシリンダーと主海苔支柱挟み板に水圧をかける。シリンダー内の海水はピストンロッドを押し伸ばし、挟み板ピストンロッド駆動軸と、挟み板シリンダー駆動軸側の対角線状の角度を狭め、主海苔支柱はさみ板とスライド海苔支柱はさみ板は、海苔支柱をはさむ力を増し水圧の上昇に伴い高水圧で、海水を海苔支柱内に注入して課題を解決する。【選択図】図７
0003145328.tif 000002
【実用新案登録請求の範囲】
【請求項１】
主海苔支柱挟み板と、スライド海苔支柱挟み板と、挟み板ピストンロッドメタル駆動軸と、挟み板シリンダーメタル駆動軸と、シリンダーと、シリンダーメタルと、ピストンロッドと、ピストンロッドメタルと、シリンダーバネと、挟み板駆動軸受けと、軸止めと、防水パッキンと、注入口と、注入ホースと、バルブと、シリンダー注水排水口と、引っ張りロープと、水圧逃がし口と、送水口を合わせ構成した、海苔支柱高圧海水注入装置。
【考案の詳細な説明】
【技術分野】
【０００１】  本考案は、海苔支柱高圧海水注入装置に関するものであり、海苔支柱の立て辛い海苔畑の海底の貝殻や砂の層に立て込む場合、高圧注水口を持つ海苔支柱に、海水を高圧で注入し、海苔支柱を立て込むために用いる、装置に関する。
【背景技術】
【０００２】  従来から、高圧液体注入装置として、特許文献に開示されているものがある。
【特許文献１】  特開２００２−２３３２１０号公報
【考案の開示】
【考案が解決しようとする課題】
【０００３】  高圧注水口を持つ海苔支柱に高圧で海水を注入する場合、注水口に注入口をあわせ固定しなければいけない。固定する時間と固定したものを外す時間を合わせると、時間が経過して海苔支柱を立て込む作業がはかどらない、この考案は、これらの不都合を解決することを課題とする。
【課題を解決するための手段】
【０００４】  この課題を解決するための請求項１の考案は、主海苔支柱挟み板と、スライド海苔支柱挟み板と、挟み板ピストンロッド駆動軸と、挟み板シリンダー駆動軸と、シリンダーと、シリンダーメタルと、ピストンロッドと、ピストンロッドメタルと、シリンダーバネと、挟み板駆動軸受けと、防水パッキンと、注入口と、注入ホースと、バルブと、シリンダー注水排水口と、引っ張りロープと、水圧逃がし口と、送水口を合わせ、船上で利用する海苔支柱高圧海水注入装置を構成する。【０００５】  主海苔支柱挟み板とスライド海苔支柱挟み板の、挟み板シリンダーメタル駆動軸と、挟み板ピストンロッドメタル駆動軸との間の、四角形状の対角線のシリンダーとピストンロッドのシリンダーバネの弾力で伸びる長さによる、四角形状の角度変化で狭められている、主海苔支柱挟み板とスライド海苔支柱挟み板の、主海苔支柱挟み板を片手で持ち、スライド海苔支柱挟み板をもう一方の片手でピストンロッドを押しシリンダーバネを押え、主海苔支柱挟み板とスライド海苔支柱挟み板の間隔を広げ、海苔支柱の注水口に主海苔支柱挟み板の防水パッキンの範囲以内の注入口に合わせて、スライド海苔支柱挟み板の手を離し、シリンダーバネの弾力でピストンロッドを押して伸ばし、主海苔支柱挟み板とスライド海苔支柱挟み板の間隔を狭め、海苔支柱を挟む。【０００６】  バルブを開け、注入ホースに送水をし、シリンダーと海苔支柱挟み板の注入口に水圧をかけ、シリンダーとピストンロッドの対角線状に伸びる長さを水圧により伸ばし、挟み板ピストンロッド駆動軸で動く主海苔支柱はさみ板とシリンダー駆動軸で動くスライド海苔支柱挟み板の海苔支柱を挟む力を水圧で増し、海苔支柱の注水口に海水を注入する。【０００７】  注水を受けた海苔支柱は、所定の位置で根本のノズルから海水を噴射し、海底の貝殻や砂の層を液状化し、海苔支柱を立て込む。【０００８】  海苔支柱から、潮位の低い時、海苔支柱高圧海水注入装置を高い位置より取り外す場合は、バルブを閉め送水を止めてシリンダーの水圧を逃がし、スライド海苔支柱はさみ板の引っ張りロープを下に引き、海苔支柱高圧海水注入装置を下にずらす。【０００９】  主海苔支柱挟み板を片手で持ち、スライド海苔支柱挟み板をもう一方の片手でシリンダーとピストンロッドを押しシリンダーバネを押え、主海苔支柱挟み板とスライド海苔支柱挟み板の間隔を広げ、海苔支柱から外し、次の海苔支柱をはさむ。
【考案の効果】
【００１０】  本考案の、海苔支柱高圧海水注入装置は、主海苔支柱挟み板に接着している防水パッキンは、スライド海苔支柱挟み板の間に海苔支柱をシリンダーとピストンロッドの間のバネの弾力で対角線状に伸ばし挟む場合、主海苔支柱挟み板との摩擦が増えて、ずれを防ぎ、水圧の上昇に連れ圧縮され海苔支柱を挟む圧力も増し、水漏れが減少するのである。【００１１】  また、水圧が上がるに伴い、シリンダーとピストンロッドは伸び、シリンダーメタルとピストンロッドメタルを介して、挟み板シリンダーメタル駆動軸と、挟み板ピストンロッドメタル駆動軸は、主支柱挟み板とスライド海苔支柱挟み板の間の主海苔支柱を挟む力を増し、高水圧を海苔支柱内にかける事ができるのである。
【考案を実施するための最良の形態】
【００１２】  以下、本考案の実施形態について説明する。図１は、海苔支柱高圧海水注入装置の、５シリンダーと、７ピストンロッドが伸び、１主海苔支柱挟み板と、２スライド海苔支柱挟み板の間が狭められた立面図を示す。図２は、海苔支柱高圧海水注入装置の、５シリンダーと、７ピストンロッドが短くなり、１主海苔支柱挟み板と、２スライド海苔支柱はさみ板の間が広げられた立面図を示す。図３は、海苔支柱高圧海水注入装置の、２１海苔支柱を挟んだ平面図を示す。図４海苔支柱高圧海水注入装置に、２１海苔支柱を用いて挟む前の平面図を示す。図５は、１５バルブの送水時の平面図を示す。図６は、１５バルブの送水を止め、５シリンダーが水圧を逃がす平面図を示す。図７は、海苔支柱高圧海水注入装置に、２１海苔支柱を用いて挟んだ立面図を示す。図８は、２２注水口と、２３噴射ノズルを持つ、２１海苔支柱の立面図を示す。【００１３】  本考案の、海苔支柱高圧海水注入装置は、１主海苔支柱挟み板と、２スライド海苔支柱挟み板の、４挟み板シリンダーメタル駆動軸と、３挟み板ピストンロッドメタル駆動軸との間の、四角形状の対角線の、５シリンダーと、７ピストンロッドの、９シリンダーバネの弾力で伸びる長さによる、四角形状の角度変化で狭められる、１主海苔支柱挟み板と、２スライド海苔支柱挟み板の、１主海苔支柱はさみ板を片手でもち、２スライド海苔支柱挟み板をもう一方の片手で、７ピストンロッドと、５シリンダーを対角線状に、９シリンダーバネを押さえ、１主海苔支柱挟み板と、２スライド海苔支柱挟み板の間隔を広げ、２１海苔支柱の注水口に、１主海苔支柱挟み板の、１２防水パッキンの、１３注入口範囲内に、海苔支柱の注水口を合わせ、９シリンダーバネの弾力で、５シリンダーは、７ピストンロッドを対角線状に押し伸ばし、１主海苔支柱挟み板と、２スライド海苔支柱は間隔を狭め、２１海苔支柱を挟む。【００１４】  １５バルブを開き、１４注入ホースに送水し、５シリンダーに水圧をかけ、７ピストンロッドの対角線状に伸びる長さを水圧で増し、１主海苔支柱挟み板と、２スライド海苔支柱挟み板に挟まれている、２１海苔支柱を挟む力を水圧の上昇で増し、２１海苔支柱の、２２注水口に水圧をかけ、海水を注入する。【００１５】  注水を受けた、２１海苔支柱は、所定の位置で根本の２３噴射ノズルから海水を噴射し、海底の貝殻や砂の層を液状化し、２１海苔支柱を押さえ込んでいく。【００１６】  ２１海苔支柱を押さえ込む時、２３噴射ノズルの水圧は上がり、２１海苔支柱の内部と、５シリンダー内部の水圧も共に上がり、５シリンダーと、７ピストンロッドは対角線状に伸びる圧力を増し、３挟み板ピストンロッドメタル駆動軸と、４挟み板シリンダーメタル駆動軸で、１主海苔支柱挟み板と、２スライド海苔支柱挟み板の、２１海苔支柱を挟む力を増し、１２防水パッキンを圧縮し海水漏れを減らし、２１海苔支柱を押さえ立て込んでいく。【００１７】  ２１海苔支柱の高い位置から、潮位の低い時、海苔支柱高圧海水注入装置を高い位置より取り外す場合は、１５バルブを閉め、２スライド海苔支柱はさみ板の、１７引っ張りロープを下に引き、海苔支柱高圧海水注入装置を所定の位置まで下にずらす。【００１８】  １主���苔支柱挟み板を片手で持ち、２スライド海苔支柱挟み板をもう一方の片手で、５シリンダーと、７ピストンロッドを押しシリンダーバネを押さえ、１主海苔支柱挟み板と、２スライド海苔支柱挟み板の間隔を広げ、海苔支柱から外し、次の海苔支柱を挟む。【００１９】  ５シリンダーと、７ピストンロッドの伸縮による連動で、１主海苔支柱挟み板と、２スライド海苔支柱挟み板の開閉で、２１海苔支柱を挟み海水を注入する。【００２０】  このように工夫した、本考案の、海苔支柱高圧海水注入装置を使用すると海苔支柱の立て込み作業の能率を向上させる事ができる。【００２１】  尚、海苔支柱高圧海水注入装置の大きさと形状は、海苔支柱に合わせて決めるとよい。また、シリンダーとピストンの直径は、主海苔支柱挟み板とスライドはさみ板の海苔支柱をはさむ強度と水圧を決めて選出するとよい。
【産業上の利用可能性】
【００２２】  本発明に係る、海苔支柱高圧海水注入装置は、工業的量産することが可能であるために、産業上の利用可能性を有する。
【図面の簡単な説明】
【００２３】
【図１】  海苔支柱高圧海水注入装置のシリンダーとピストンロッドが伸び、主海苔支柱挟み板とスライド海苔支柱挟み板の間が狭められた立面図である。
【図２】  海苔支柱高圧海水注入装置のシリンダーとピストンロッドが短くなり、主海苔支柱挟み板とスライド海苔支柱はさみ板の間が広げられた立面図である。
【図３】  海苔支柱高圧海水注入装置に海苔支柱を用いて挟んだ平面図である。
【図４】  海苔支柱高圧海水注入装置に海苔支柱を用いて挟む前の平面図である。
【図５】  バルブの送水時の平面図である。
【図６】  バルブの送水を止めシリンダーから水圧を逃がす平面図である。
【図７】  海苔支柱高圧海水注入装置に海苔支柱を用いて挟んだ立面図である。
【図８】  注水口を持つ海苔支柱の立面図である。
【符号の説明】
【００２４】  １  主海苔支柱挟み板を示す
２  スライド海苔支柱挟み板を示す
３  挟み板ピストンロッドメタル駆動軸を示す
４  挟み板シリンダーメタル駆動軸を示す
５  シリンダーを示す
６  シリンダーメタルを示す
７  ピストンロッドを示す
８  ピストンロッドメタルを示す
９  シリンダーバネを示す
１０  挟み板駆動軸受けを示す
１１  軸止めを示す
１２  防水パッキンを示す
１３  注入口を示す
１４  注入ホースを示す
１５  バルブを示す
１６  シリンダーの注水排水口を示す
１７  引っ張りロープを示す
１８  バルブの水圧逃がし口を示す
１９  バルブの送水口を示す
２０  バルブの注入ホース側を示す
２１  海苔支柱を示す
２２  海苔支柱の注水口を示す
２３  海苔支柱の噴射ノズルを示す
【図１】
0003145328.tif 000003
【図２】
0003145328.tif 000004
【図３】
0003145328.tif 000005
【図４】
0003145328.tif 000006
【図５】
0003145328.tif 000007
【図６】
0003145328.tif 000008
【図７】
0003145328.tif 000009
【図８】
0003145328.tif 000010
【手続補正書】
【提出日】平成20年6月30日(2008.6.30)
【手続補正１】
【補正対象書類名】実用新案登録請求の範囲
【補正対象項目名】全文
【補正方法】変更
【補正の内容】
【実用新案登録請求の範囲】
【請求項１】
（実用新案登録請求の範囲全文を記載します。）
長さを決めた金属製のパイプを縦に二分した挟み板金具に、注入口と穴の開いた防水パッキンと、左右上下の軸足受けと、上下のコの字形軸足と、軸足止めと、軸足穴のあるピストンロッドと、シリンダーバネと、軸足穴と、給排水口のあるシリンダーと、注入ホースと、バルブと、ロープを合わせて構成した、海苔支柱の柄の側面を左右から挟み海水を注入するための、海苔支柱高圧海水注入装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱に用いる、海苔支柱高圧海水注入装置に関する。
【背景技術】
【０００２】  従来から、高圧液体注入装置として、特許文献に開示されているものがある。
【特許文献１】  特開２００２−２３３２１０号公報
【考案の開示】
【考案が解決しようとする課題】
【０００３】  海苔支柱の立て辛い海苔漁場の貝殻や砂の層に海苔支柱を立て込むために、上部が詰まり高圧注水口と根本に噴射口を持つ海苔支柱に高圧で海水を注入する場合、注水口に注入口をあわせ固定しなければいけない。固定する時間と固定したものを外す時間を合わせると、時間が経過して海苔支柱を立て込む作業が進まない、この考案は、これらの不都合を解決することを課題とする。
【課題を解決するための手段】
【０００４】  そこで、注水口を持つ海苔支柱の柄の側面を左右から挟むため、長さを決めた金属製のパイプを縦に二分した挟み板金具に、片方左側のスライド海苔支柱挟み板金具の半円形外側の横方向上下に軸足受けを、残りの片方右側の主海苔支柱挟み板金具を貫通して注入口と半円形内側に穴の開いた防水パッキンを外側の横方向上下に軸足受けを合わせて、左右のスライド海苔支柱挟み板金具（図１）の形状を作る。【０００５】  ピストンロッドとシリンダー間にシリンダーバネを入れ、上側コの字形軸足をピストンロッドの軸足の穴を通して左側のスライド海苔支柱挟み板金具の上側軸足受けと、右側の主海苔支柱挟み板金具の上側軸足受けに差し込み軸足止めで止め、下側コの字形軸足を、シリンダーの軸足穴の穴を通して右側の主海苔支柱挟み板金具の下側の軸足受けと、左側のスライド海苔支柱挟み板金具の下側の軸足受けに差し込み軸足止めで止め、左右の挟み板金具と上下のコの字形軸足とが四角形状になり、ピストンロッドとシリンダーが対角線状になるように（図２）の形状を作る。【０００６】  主海苔支柱挟み板金具の注入口とシリンダー間を注入ホースで並列に配管し、配管にバルブを組み合わせ、スライド海苔支柱挟み板金具にロープを組み合わせ構成した（図４）の、海苔支柱高圧海水注入装置を考案した。この海苔支柱高圧海水注入装置により、海苔支柱を挟み注水口に、高圧で海水を注入できるのである。
【考案の効果】
【０００７】  本考案の、海苔支柱高圧海水注入装置を海苔支柱に用いる場合は、従来のような注水口と注入口を合わせ固定したり外したりする時間を削減することができ、作業の能率向上が可能となるのである。【０００８】  また、海苔支柱高圧海水注入装置を、海苔支柱に用いて注水口に高圧で海水を注入する場合、根本の噴射口が海底面に接するときの水圧の負荷変動でシリンダー内の水圧も変わり、挟む圧力を変化させながら、調整機能で、双方の挟み板金具間の挟む圧力も変化し、主海苔支柱を挟み板金具と海苔支柱間の防水パッキンにより海水漏れを最小限にすることができ、海苔支柱の注水口に高圧で海水を注入することで、海苔支柱の立て辛い海苔畑の貝殻や砂の層を液状化し、目標の位置に目標の深さまで、海苔支柱を楽にすばやく立て込むことができるのである。
【考案を実施するための最良の形態】
【０００９】  本考案の、海苔支柱高圧海水注入装置は、長さを決めた金属製のパイプを縦に二分した挟み板金具に、注入口と穴の開いた防水パッキンと、左右上下の軸足受けと、上下のコの字形軸足と、軸足止めと、軸足穴のあるピストンロッドと、シリンダーバネと、軸足穴と給排水口のあるシリンダーと、注入ホースと、ロープを合わせ構成している。【００１０】  海苔支柱高圧海水注入装置を用いて、パイプ状の上部の詰まった上半部分に、２２注水口と、根本に、２３噴射口ある、２１海苔支柱を挟む場合は、左手で、７ピストンロッド側を右手で、５シリンダー側を、図３、に示すように、７ピストンロッドと、５シリンダー間を、９シリンダーバネを縮小させながら対角線状に双方から押え、１主海苔支柱挟み板金具と、２スライド海苔支柱挟み板金具との間隔を広げる。【００１１】、
７ピストンロッドと、５シリンダーの対面側から海苔支柱に挟むように入れ、２２海苔支柱の注水口と、１主海苔支柱挟み板金具の注入口を合わせ、左手を離し、９シリンダーバネの弾力で、７ピストンロッドと、５シリンダー間を、対角線状に押し伸ばし、２スライド海苔支柱挟み板金具を上方向にスライドさせながら挟み幅を狭めて図６、図７、図１１のように挟み固定する。【００１２】  １５バルブを開き水圧を増しながら、２スライド海苔支柱挟み板金具上側の、３コの字形軸足と、１主海苔支柱挟み板金具下側の、４コの字形軸足間の対角線状を押し伸ばし、圧力を増しながら、１２防水ゴムパッキンを合わせた摩擦力の多い、１主海苔支柱挟み金具は、摩擦力の弱いほうの、２スライド海苔支柱挟み板金具をスライドさせながら挟む力を水圧の上昇に伴い増し、１主海苔支柱挟み板金具の、１３注入口より、２１海苔支柱の、２２注水口に注入し、根本の、２３噴射口から水圧で海水を噴射しながら、海苔畑の海底の貝殻や砂の層を液状化しながら海苔支柱を目標の位置に目標の深さまで、本海苔支柱高圧海水注入装置により、押さえ立て込でいく。【００１３】  また、海苔支柱高圧海水注入装置を、２１海苔支柱から取り外す場合は、１５バルブを閉め、閉めることで、５シリンダー内の水圧は下がり、１８バルブの水圧逃がし口から、５シリンダー内の水圧をにがし、潮が少なく手が届かない高い位置に海苔支柱高圧海水注入装置がある場合は、２スライド海苔支柱挟み板金具の、１７ロープ下に引き、引くことで、１主海苔支柱挟み板金具は、１２ゴムパッキンの摩擦抵抗が大きいために、ずれを防ぎ、２スライド海苔支柱挟み板金具は、コの字形軸足の対角線状の、７ピストンロッドと、５シリンダー間の、９シリンダーバネを縮小しながら、１主海苔支柱挟み板金具と、２スライド海苔支柱挟み板金具との、挟んでいる圧力を弱め下にずれ落ちる。【００１４】  手の届く範囲の、海苔支柱高圧海水注入装置の、７ピストンロッドと、５シリンダー間の、９シリンダーバネを縮小させながら、１主海苔支柱挟み板金具と、２スライド海苔支柱挟み板金具との、海苔支柱を挟んでいる挟み幅を広げて次に立て込む、２１海苔支柱に挟み固定する。【００１５】  このように工夫した、本考案の、海苔支柱高圧海水注入装置を海苔支柱の立て込み作業に利用すると、海苔支柱の立て込み作業の能率を向上させる事ができる。【００１６】  尚、主海苔支柱挟み板金具とスライド海苔支柱はさみ板金具の形状は海苔支柱のサイズに合わせて挟み幅を決め、長さは海苔支柱を挟んだとき双方の挟み板金具が板半分以上の長さが重なると適度でよい。防水パッキンは主海苔支柱はさみ金具にサイズを合わせ厚みは注入口と注水口が多少ずれた場合でもパッキンの穴の範囲内で海水の流れができる厚みを決めるとよい。また、コの字を形成した上下の、コの字形軸足の幅は海苔支柱の太さに合う適度の幅に決め、シリンダーとピストンの長さは、上下のコの字形軸足との、角線状の長さで伸縮幅を決め、直径は主海苔支柱挟み板とスライド挟み板の海苔支柱を挟む強度と水圧で決めて選出するとよい。【００１７】  これら、海苔支柱高圧海水注入装置の材料は海水に強く錆びない金属がよい。
【産業上の利用可能性】
【００１８】  本発明に係る、海苔支柱高圧海水注入装置は、工業的量産することが可能であるために、産業上の利用可能性を有する。
【図面の簡単な説明】
【００１９】
【図１】  スライド海苔支柱はさみ板金具の半円形状背面側に横上下に軸足受けを、主海苔支柱挟み板金具に注入口と半円形内側に防水ゴムパッキンと背面側に横上下に軸足受けを合わせた部分立面図である。
【図２】  ピストンロッドとシリンダー間にシリンダーバネを入れ双方の軸足穴に、コの字形軸足を通し、主海苔支柱挟み板金具とスライド海苔支柱挟み板金具双方の背側に横上下にコの字形軸足を組み合わせた部分立面図である。
【図３】  ピストンロッドとシリンダー間にシリンダーバネを入れ双方の軸足穴に、コの字形軸足を通し、主海苔支柱挟み板金具とスライド海苔支柱挟み板金具双方の背面側下側に横上下にコの字形軸足と注入ホースとバルブを合わせて双方の挟み板金具間を広げた海苔支柱高圧海水注入装置の立面図である。
【図４】  双方の挟み板金具間を狭めた海苔支柱高圧海水注入装置の全体立面図である。
【図５】  海苔支柱高圧海水注入装置の主海苔支柱挟み板金具とスライド海苔支柱挟み板金具間を広げ海苔支柱を挟む前の平面図である。
【図６】  海苔支柱高圧海水注入装置に海苔支柱を用いて挟んだ平面図である。
【図７】  海苔支柱高圧海水注入装置の挟み板金具間の幅を狭め海苔支柱を挟んだ立面図である。
【図８】  バルブを開けた送水時の平面図である。
【図９】  バルブの送水を止めシリンダーから水圧を逃がす平面図である。
【図１０】  パイプ状の上部の詰まった側面上半部に注水口と根本に噴射口を持つ海苔る。
【図１１】  海苔支柱高圧海水注入装置に海苔支柱を挟んで固定した全体立面図である。
【符号の説明】
【００２０】  １  主海苔支柱挟み板金具を示す
２  スライド海苔支柱挟み板金具を示す
３  上側コの字形軸足を示す
４  下側コの字形軸足を示す
５  シリンダーを示す
６  シリンダー軸足穴を示す
７  ピストンロッドを示す
８  ピストンロッド軸足穴を示す
９  シリンダーバネを示す
１０  コの字形軸足受けを示す
１１  軸足止めを示す
１２  ゴム防水パッキンを示す
１３  注入口を示す
１４  注入ホースを示す
１５  バルブを示す
１６  シリンダーの注水排水口を示す
１７  ロープを示す
１８  バルブの水圧逃がし口を示す
１９  バルブの送水口を示す
２０  バルブの注入ホース側を示す
２１  海苔支柱を示す
２２  海苔支柱の注水口を示す
２３  海苔支柱の噴射口を示す
【手続補正３】
【補正対象書類名】図面
【補正対象項目名】全図
【補正方法】変更
【補正の内容】
【図１】
0003145328.tif 000011
【図２】
0003145328.tif 000012
【図３】
0003145328.tif 000013
【図４】
0003145328.tif 000014
【図５】
0003145328.tif 000015
【図６】
0003145328.tif 000016
【図７】
0003145328.tif 000017
【図８】
0003145328.tif 000018
【図９】
0003145328.tif 000019
【図１０】
0003145328.tif 000020
【図１１】
0003145328.tif 000021